(57)【要約】【課題】簡単は構造によりプール水、温泉水、または風呂水の循環水をその循環中において効果的に殺菌浄化を良好に行うことができるプール水、温泉水、または風呂水の循環装置における電解殺菌装置を提供することを課題とする。【解決手段】プール水、温泉水、または風呂水を循環水Ｗとして循環させる循環管路と、この循環管路に少なくとも該管路内の循環水Ｗに塩素系殺菌剤を注入する殺菌剤注入装置８と、循環水Ｗ中の髪の毛等を除去するストレーナ４と、ポンプ５とを備えた循環装置１において、循環装置１中の任意の設置箇所に、対向する陽極と陰極とからなる電極９、１５を循環水Ｗに接すように装設するとともに、陽極と陰極の間に循環水Ｗを流しながら所定の電荷分の電流を通電することにより、循環水Ｗを電解反応させて循環水Ｗ中に遊離塩素を発生させて殺菌浄化を行う。【選択図】図１
2011101833.tif 000002
【特許請求の範囲】
【請求項１】
プール水、温泉水、または風呂水を循環水として循環させる循環管路と、この循環管路に少なくとも該管路内の循環水に塩素系殺菌剤を注入する殺菌剤注入装置と、循環水中の髪の毛等を除去するストレーナと、ポンプとを備えた循環装置において、
前記循環装置中の任意の設置箇所に、対向する陽極と陰極とからなる電極を前記循環水に接すように装設するとともに、前記陽極と陰極の間に前記循環水を流しながら所定の電荷分の電流を通電することにより、前記循環水を電解反応させて前記循環水中に遊離塩素を発生させることを特徴とするプール水、温泉水、または風呂水の循環装置における電解殺菌装置。
【請求項２】
請求項１に記載のプール水、温泉水、または風呂水の循環装置における電解殺菌装置であって、前記電極を、前記循環装置中のストレーナに設置したことを特徴とするプール水、温泉水、または風呂水の循環装置における電解殺菌装置。
【請求項３】
請求項１に記載のプール水、温泉水、または風呂水の循環装置における電解殺菌装置であって、前記電極を、前記循環装置の循環管路内に設置したことを特徴とするプール水、温泉水、または風呂水の循環装置における電解殺菌装置。
【請求項４】
請求項１〜請求項３のうちのいずれか１の請求項に記載のプール水、温泉水、または風呂水の循環装置における電解殺菌装置であって、前記電極は、所定の間隔をおいて平行に配置された複数枚の導体板から構成され、両端部に位置する両導体板を同一極性の電極板としかつ中央部の導体板を両端の電極板とは反する極性の電極板とし、該両端部の電極板と該中央部の電極板との間の導体板を電源と接続しない状態として配置されていることを特徴とするプール水、温泉水、または風呂水の循環装置における電解殺菌装置。
【請求項５】
請求項３に記載のプール水、温泉水、または風呂水の循環装置における電解殺菌装置であって、循環管路内に設置される電極は、丸棒若しくは円筒状からなる芯極と該芯極の外周周りに所定の間隔をおいて配置された円筒状からなる周極とから構成され、前記円筒状の芯極及び円筒状の周極の外周にはその外周面から内周面にいたる所望の形状の空所が多数貫設され、この空所部位の全面積が前記芯極及び周極のそれぞれの外周面全体の面積に対して１０〜９０％占めるようになしたことを特徴とするプール水、温泉水、または風呂水の循環装置における電解殺菌装置。
【発明の詳細な説明】
【技術分野】
【０００１】
本発明は、プール水、温泉水または風呂水の循環装置における電解殺菌装置に関する。
【背景技術】
【０００２】
一般に、プール水や、温泉、公衆浴場等の風呂水（温泉水）は、プールや浴槽の外部に循環路を設けて、循環して使用されている。そして、この循環路の途中に毛髪等の循環水中の固形物を濾しとって汚れを取るストレーナや塩素系殺菌剤を加えて殺菌消毒する殺菌装置が備えられている。
【０００３】
そして、上記循環装置に分岐接続された電解通路を設け、この電解通路において、食塩水に電極を差し込んで電解して活性酸素を発生させ、その活性酸素を発生させた水を前記循環装置を循環する循環水と混合攪拌させて、発生させた活性酸素の作用により循環水を殺菌する浄化装置が開示されている（特許文献１参照）。
【０００４】
さらに、循環装置の循環水が通る管路にバイパス管路を設けて該循環水を電解槽に案内し、この電解槽において、電解により遊離塩素を発生させ、この遊離塩素を含んだ被処理水を前記バイパス管路経由で循環水として戻すことにより殺菌浄化を行う水処理装置が開発されている（特許文献２参照）。
【先行技術文献】
【特許文献】
【０００５】
【特許文献１】特開平６−２９６９６８号公報
【特許文献２】特開２００７−１５２１４７号公報
【発明の概要】
【発明が解決しようとする課題】
【０００６】
上記した一般の塩素系殺菌剤を利用して殺菌消毒しているプール水、温泉水、または風呂水中では、汚れである水溶性の有機物が多くなると、それらの有機物質と遊離塩素が反応して遊離塩素の濃度が低下し、十分な殺菌消毒効果を得られる遊離塩素濃度が得られなくなるため、塩素系殺菌剤を追加投入する必要があった。
【０００７】
また、プール水中、温泉水中、または風呂水中では、遊離塩素である次亜塩素酸および次亜塩素酸イオンは循環水中に含まれるアンモニアやその化合物と反応してクロラミンとなり、クロラミンの内のモノクロラミンとジクロラミン（結合塩素）は過剰の遊離塩素と反応して遊離残留塩素を消失してしまうとともに遊離残留塩素よりも弱い殺菌力を有する結合塩素であるクロラミン自体も窒素を発生して分解される（結合塩素と遊離残留塩素とを共に消失していき、ついには零近くになって殺菌や消毒の効果を失ってしまう、いわゆる不連続点である）という問題があった。
【０００８】
また、特許文献１に記載の発明では、既存の循環装置とは別に該循環装置に分岐接続される電解通路を設け、この別設の電解通路内において、その電極による電解反応により発生させた活性酸素によって殺菌消毒を行っているため、装置として別設の電解通路が必要となるとともに、次亜塩素酸、または次亜塩素酸イオンを用いて殺菌消毒する場合に比べて、人体の細胞に悪影響を与える可能性があった。
【０００９】
さらには、特許文献２に記載の発明では、従来のプール水、温泉水、または風呂水循環装置の循環路にバイパスを設けて、そのバイパスに電解槽を新たに設けて、被処理水（循環水）を電解して遊離塩素を発生させた遊離塩素を含む被処理水（循環水）を、バイパスを経由してまたプールや浴槽に戻しているので、そのバイパスと電解槽を新たに設ける必要があった。
【００１０】
そこで、本発明は、上述した従来の各装置に生起する問題点に鑑み、既存の循環装置に対して別の循環に係る手段を設けることなく、簡単は構造によりプール水、温泉水、または風呂水をその循環中において効果的に殺菌して、該プール水、温泉水、または風呂水の循環水の浄化を良好に行うことができるプール水、温泉水、または風呂水の循環装置における電解殺菌装置を提供することを課題とする。
【課題を解決するための手段】
【００１１】
上記した課題を達成するために、請求項１記載の発明は、プール水、温泉水、または風呂水を循環水として循環させる循環管路と、この循環管路に少なくとも該管路内の循環水に塩素系殺菌剤を注入する殺菌剤注入装置と、循環水中の髪の毛等を除去するストレーナと、ポンプとを備えた循環装置において、
前記循環装置中の任意の設置箇所に、対向する陽極と陰極とからなる電極を前記循環水に接すように装設するとともに、前記陽極と陰極の間に前記循環水を流しながら所定の電荷分の電流を通電することにより、前記循環水を電解反応させて前記循環水中に遊離塩素を発生させることを特徴とする。
この構成によれば、循環装置中の任意の設置箇所に装設した電極による電解作用によって循環水を電解反応させてその循環中の循環水を殺菌する、すなわち、遊離塩素が消失しても、電極による電解反応により遊離塩素を循環水中に発生させることができ、該循環中の循環水を殺菌して浄化するものである。
【００１２】
請求項２記載の発明は、請求項１に記載のプール水、温泉水、または風呂水の循環装置における電解殺菌装置であって、前記電極を、前記循環装置中のストレーナに設置したことを特徴とする。
この構成によれば、循環装置中のストレーナに設置した電極による電解作用によって循環水を電解反応させてストレーナ部位において循環中の循環水を殺菌する、すなわち、遊離塩素が消失しても、電極による電解反応により遊離塩素を循環水中に発生させることができ、該ストレーナ部位において循環中の循環水を殺菌して浄化するものである。
【００１３】
請求項３記載の発明は、請求項１に記載のプール水、温泉水、または風呂水の循環装置における電解殺菌装置であって、前記電極を、前記循環装置の循環管路内に設置したことを特徴とする。
この構成によれば、循環装置中の管路に設置した電極による電解作用によって循環水を電解反応させて管路部位において循環中の循環水を殺菌する、すなわち、遊離塩素が消失しても、電極による電解反応により遊離塩素を循環水中に発生させることができ、該管路部位において循環中の循環水を殺菌して浄化するものである。
【００１４】
請求項４記載の発明は、請求項１から請求項３のいずれか１に記載のプール水、温泉水、または風呂水の循環装置における電解殺菌装置であって、前記電極は、所定の間隔をおいて平行に配置された複数枚の導体板から構成され、両端部に位置する両導体板を同一極性の電極板としかつ中央部の導体板を両端の電極板とは反する極性の電極板とし、該両端部の電極板と該中央部の電極板との間の導体板を電源と接続しない状態として配置されていることを特徴とする。
この構成によれば、電解面積を増大して塩素系殺菌剤、すなわち遊離塩素の生産能力を抑揚することができるものであり、また、電源と接続しない状態の導体板によって、スケールの付着による短絡事故の頻度を著しく少なくすることができるものである。また、電解作用により水素と酸素が発生する競争反応を抑えることもできる。
【００１５】
請求項５記載の発明は、請求項３に記載のプール水、温泉水、または風呂水の循環装置における電解殺菌装置であって、循環管路内に設置される電極は、丸棒若しくは円筒状からなる芯極と該芯極の外周周りに所定の間隔をおいて配置された円筒状からなる周極とから構成され、前記円筒状の芯極及び円筒状の周極の外周にはその外周面から内周面にいたる所望の形状の空所が多数貫設され、この空所部位の全面積が前記芯極及び周極のそれぞれの外周面全体の面積に対して１０〜９０％占めるようになしたことを特徴とする。
この構成によれば、管路中を通過する循環水と電極との接触面積を可及的に増大してその電解反応の効率を向上することができるものである。
【発明の効果】
【００１６】
請求項１に記載の発明によれば、既存の循環装置に対して新たな管路や電解槽等を設置することなく、該循環装置中の任意な箇所に設置した電極によって、循環水中内の遊離塩素が消失しても、該循環水中に含まれる塩化ナトリウムまたはクロラミンから、その電解反応により遊離塩素を循環水中に発生させることができ、その遊離塩素により人体にとって安全な循環水の殺菌消毒を遂行することができる。
【００１７】
請求項２に記載の発明によれば、既存の循環装置に対して新たな管路や電解槽等を設置する必要がなく、既存の循環装置内のストレーナに電極を設けることにより、該電極による電解反応によって循環水中に遊離塩素を発生させることができ、循環水の殺菌消毒を遂行することができる。また、ストレーナの中に電極を設けることにより、定期的なストレーナの清掃時にあわせて電極を点検することができる。
【００１８】
請求項３に記載の発明によれば、既存の循環装置に対して新たな管路や電解槽等を設置する必要がなく、既存の循環装置内の循環水が通過する管路に電極を簡単に設けることにより、該電極による電解反応によって循環水中に遊離塩素を発生させることができ、循環水の殺菌消毒を遂行することができる。
【００１９】
請求項４に記載の発明によれば、電解面積が増して塩素系殺菌剤の生産能力を上げることができるとともに、電源と接続しない状態の導体板により、スケールの付着による短絡事故の頻度を著しく少なくすることができる。また、電解作用により水素と酸素が発生する競争反応を抑えることもできる。
【００２０】
請求項５に記載の発明によれば、既存の管路に電極を設けることができる管路中を通過する循環水と電極との接触面積を可及的に増大してその電解反応の効率を向上することができる。
【図面の簡単な説明】
【００２１】
【図１】本発明の第１の実施例における循環装置の循環系統を略示する説明図である。
【図２】（ａ）は循環装置におけるストレーナに設けられた第１の電極を示す斜視図、（ｂ）は循環装置における管路に設けられた第２の電極を示す斜視図である。
【図３】第１の電極の取付け状態を示す側断面図である。
【図４】第１の電極の取付け状態を示す正断面図である。
【図５】第２の電極の取付け状態を示す側断面図である。
【図６】第２の電極の取付け状態を示す正断面図である。
【図７】本発明の第２の実施例における循環装置の循環系統を略示する説明図である。
【発明を実施するための形態】
【００２２】
以下、本発明を実施するための最良の形態について図面を参照しながら説明する。
【００２３】
図１は、第１の実施例を示す説明図であり、循環水であるプール水、温泉水、または風呂水を循環して浄化する循環装置１を示す。
【００２４】
図１に示す既存の循環装置１の概要について説明すると、プール、水、浴槽（図では、例えばプールを示す）２内の温水或いは水は、その排水口２ａから循環水Ｗとして該循環装置１を構成する管路３に導出され、この管路３により、内部に組込まれた固体物分離ネットを通って循環水Ｗに含まれている毛髪等を取除く（除去し得る）ように既存の形態に構成されたストレーナ４、プール２内から汲み出した循環水Ｗを循環経路に供給するためのポンプ５、前記ストレーナ４で浄化した循環水をさらに浄化するためのろ過装置６、循環水を所定の温度に加熱するための加熱器７等の各手段を経て（通過して）、再び給水口２ｂ、２ｂを介してプール２内に導入される一連の循環経路が構成されている。なお、上記した循環装置１における循環経路中のポンプ５とろ過装置６との間の管路３内の循環水Ｗに対し塩素系殺菌剤を注入添加する殺菌剤注入装置８が循環装置１を構成する一手段として組付けられている。
【００２５】
前記ストレーナ４内には、図２〜図４に示すように、その循環水の流入側に対して第１の電極９が装設されている。この第１の電極９は、例えば、図２（ａ）に示すように、ほぼ名刺大から該名刺大より若干大きくかつその厚さが０．５ｍｍ程度の矩形状の平板状からなる複数の導体板１０〜１０を５ｍｍ程度の間隔を空けて対峙させて平行状に配置し、両端に位置された導体板１０、１０を電極板１０ａ、１０ａとして同じ極性、例えば陽極にし、中央の導体板１０を電極板１０ｂとして前記両端の極性とは反する極性、例えば陰極にし、両端の電極板１０ａ、１０ａと中央の電極板１０ｂとの間の導体板１０は、電源と接続しない状態として構成されている。この導体板１０〜１０を複数枚挿入することにより電解面積が増大されて塩素系殺菌剤の生産能力を上げることができる。また、両端の電極板１０ａ、１０ａと中央の電極板１０ｂとの間の電源と接続しない状態の導体板１０により、スケールの付着による短絡事故の頻度を著しく少なくすることができる。また、電解作用により水素と酸素が発生する競争反応を抑えることもできる。
【００２６】
上記第１の電極９は、図２〜図４に示すように、複数の導体板１０〜１０が前記所定の間隔を空けて対峙させて平行状に配置された状態でその上下端部が上下のブラケット１１、１２により固定され、この上のブラケット１１に立設された複数本（図では３本の場合を示す）の取付け棒を兼ねた電極棒１３を介して前記ストレーナ４のハウジング４ａにスペーサー１４を介して垂下状に取付けられるものである。なお、前記電極棒１３のそれぞれは外部の電源に接続されるものである。また、下のブラケット１２を無くして各導体板１０〜１０の下方を自由端とすることもできる。この場合は、導水の通過を良好にし得る。
そして、この第１の電極９はストレーナ４における流入口４ｃに対してその各導体板１０〜１０が循環水の流入方向と平行状態で位置されて電極との接触面積を可及的に増大するように構成されるものである。
【００２７】
さて、本実施例は上述のように構成されたものであり、循環装置１におけるポンプ５の動作によって、プール２内から循環のために排水された温水或いは水は、その排水口２ａから循環水Ｗとして管路３を介してストレーナ４に流入される。このストレーナ４を通過する循環水Ｗは、該ストレーナ４において固形除去物である毛髪等が取除（除去）かれて浄化され、前記ポンプ５を経てろ過装置６内に流入される。このろ過装置６を通過する循環水Ｗは、該ろ過装置６によって浄化され、ついで、加熱器７により所定の温度に加熱されて再び給水口２ｂ、２ｂを介してプール２内に導入（供給）される。
また、上記した循環中の管路３内の循環水Ｗに対し、ポンプ５とろ過装置６との間の管路３に接続して組付けた殺菌剤注入装置８にから塩素系殺菌剤が必要に応じて注入添加されるものである。
【００２８】
そして、本実施例にあっては、循環装置１における循環経路中のストレーナ４に第１の電極９を取付け、この第１の電極９に通電することによって、該ストレーナ４内に導入されて通過する循環水Ｗに対して電解反応を起こさせることになり、この通電された第１の電極９による循環水Ｗの電解反応によって該循環水Ｗ中の塩化ナトリウムから、次亜塩素酸イオンまたは次亜塩素酸を電解により生成し、遊離塩素を発生させる。
したがって、該ストレーナ４内に導入されて通過する循環水Ｗを、該水中に発生される遊離塩素により殺菌消毒することができるものである。
このことにより、殺菌剤注入装置８により循環水Ｗ内に注入添加された塩素系殺菌剤の濃度が暫時希釈されてその殺菌消毒効果が低減されていく場合でも、殺菌剤注入装置８による塩素系殺菌剤の再度の注入添加に頼ることなく、循環水Ｗ内に発生される遊離塩素により十分に殺菌消毒することができるものである。
【００２９】
上記ストレーナ４内において、通電された電極９の電解反応により遊離塩素が発生される化学反応式は以下のようになる。
（１）陽極反応
２Ｃｌ-→Ｃｌ2＋２ｅ-
（２）陰極反応
２Ｎａ+＋２Ｈ2Ｏ＋２ｅ-→２ＮａＯＨ＋Ｈ2
（３）ストレーナ（電解槽）内反応
２ＮａＯＨ＋Ｃｌ2→ＮａＣｌ＋ＮａＣｌＯ＋Ｈ2Ｏ
（４）トータル反応
ＮａＣｌ＋Ｈ2Ｏ→ＮａＣｌＯ＋Ｈ2
【００３０】
そして、この反応と同時に以下の競争反応も発生する。その反応式は、
（１）陰極反応
２Ｈ2Ｏ＋２ｅ-→Ｈ2＋２ＯＨ-
（２）陽極反応
２Ｈ2Ｏ→Ｏ2＋２Ｈ＋２ｅ-
である。
【００３１】
上記した反応において、塩素と酸素が発生する比率は溶液の塩素イオン濃度（Ｃｌ-）、ｐＨや電極の種類によって異なる。また遊離塩素である塩素ガス（Ｃｌ2）、次亜塩素酸（ＨＣｌＯ）、および次亜塩素酸イオン（ＣｌＯ-）は、酸性であるほど、前記の順で存在割合が増し、即ち酸性が強いほど塩素ガスが存在し、弱酸性であると次亜塩素酸が存在し、中性からアルカリ性であると次亜塩素酸イオンが存在する。又殺菌力に大差があり、前記の順に殺菌力が強いので、酸性であるほど、つまりｐＨが小さいほど、強い殺菌力を有するものである。
【００３２】
また、実際の電解作用においては、プール水、温泉水、または風呂水にはアンモニアやその化合物が含まれており、遊離塩素である残留次亜塩素酸イオンまたは残留次亜塩素酸がアンモニアやその化合物と反応して結合塩素であるクロラミンとなる。クロラミンのうちのモノクロラミンおよびジクロラミンは過剰な遊離塩素と反応して遊離残留塩素を消失してしまい、遊離残留塩素よりも弱い殺菌力を有する結合塩素であるクロラミンも窒素を発生させて分解して消失してしまう。（結合塩素も遊離残留塩素も共に消失していき、ついにはゼロに近くなり、殺菌や消毒の効果を失ってしまういわゆる不連続点に達する。）
【００３３】
そして、上記不連続点の現象は次亜塩素酸の注入による場合に顕著に現れるが、本実施例にあっては、前記アンモニアの分解に加えて、第１の電極９間において常に結合塩素をも分解するために、不連続点の出現を抑制することができる。
【００３４】
結合塩素を第１の電極９にて電解するときの化学反応式は、
ＮＨ2Ｃｌ＋ＮＨＣｌ2→Ｎ2＋３ＨＣｌ（塩化水素は水酸化ナトリウム（ＮａＯＨ）と中和反応を起こす。）
ただし、ｐＨ７．５付近では以下の反応も発生して、次亜塩素酸が再生される。
２ＮＨＣｌ2＋Ｈ2Ｏ→Ｎ2＋３Ｈ+＋３Ｃｌ-＋ＨＣｌＯ
このことにより、窒素が気化してクロラミンが分解されるため、前述のように、遊離塩素の消失を可及的に抑制するものである。
【００３５】
この実施例にあっては、第１の電極９において、両端の電極板１０ａ、１０ａと中央の電極板１０ｂとの間の電源と接続しない状態の導体板１０〜１０を複数枚挿入すること、ストレーナ４における流入口４ｃに対して各導体板１０〜１０（電極板１０ａ、１０ａ、１０ｂを含む）が循環水の流入方向と平行状態で位置することにより、電解面積が増大されて塩素系殺菌剤の生産能力を上げることができ、スケールの付着による短絡事故の頻度を著しく少なくすることができ、また、電解作用により水素と酸素が発生する競争反応を抑えることもできる。
【００３６】
次に、上記した実施例において、循環装置１を構成する管路３の一部に電極を装設する場合について説明すると、この場合は、図２（ｂ）に示すように、該管路３の内径に対応する円筒形の２重構造に形成された第２の電極１５を使用することが望ましい。
すなわち、この第２の電極１５は、丸棒若しくは円筒状の導体からなりかつ長さ５０ｍｍ〜１５０ｍｍ程度、直径５ｍｍ程度に形成された芯極１５ａと、 該芯極１５ａの外周周りに所定の間隔をおいて配置された円筒状の導体からなりかつ長さ５０ｍｍ〜１５０ｍｍ程度、外径１０ｍｍ〜１５ｍｍ程度に形成された周極１５ｂとから構成されており、該芯極１５ａ、周極１５ｂのいずれか一方を陽極とし、他方を陰極となしている。
【００３７】
前記芯極１５ａ及び周極１５ｂの外周（図では周極１５ｂ側を示す）には、その外周面から内周面にいたる所望の形状の空所１６〜１６が多数貫設され、この空所１６〜１６の部位の全面積が前記芯極１５ａ及び周極１５ｂのそれぞれの外周面全体の面積に対して１０％〜９０％占めるように構成するものである。
【００３８】
そして、第２の電極１５は、図５及び図６に示すように、例えば、管路３におけるほぼ直角状に曲折された部位に取付けられるものである、すなわち、第２の電極１５を構成する芯極１５ａ及び周極１５ｂは、その一端（図５では右端）を外周にテーパねじが刻設されたボス状のブラケット１７に図において水平状に取付けられており、該ブラケット１７を管路３の隅部に対しその芯極１５ａ及び周極１５ｂが直角状に曲折された部位の管路３内に位置するように締付け固定されるものであり、このブラケット１７には芯極１５ａ及び周極１５ｂにそれぞれ接続された電極棒１８が取付けられ、この電極棒１８はそれぞれ外部の電源に接続されるものである。
この第２の電極１５は、前記したように、直角状に曲折された部位、すなわち、管路３内の循環水Ｗの流れ方向が変更される部位に位置するように取付けられることと、前記芯極１５ａ及び周極１５ｂの外周（図では周極１５ｂ側を示す）に貫設された空所１６〜１６の部位の全面積が前記芯極１５ａ及び周極１５ｂのそれぞれの外周面全体の面積に対して１０％〜９０％占めるようにして、管路３内の循環水Ｗと第２の電極１５との接触面積を可及的に増大するように構成されるものである。
【００３９】
ついで、上述した構成の循環装置１における管路３に第２の電極１５を循環装置１における管路３に取付けた場合にあっては、循環装置１における循環経路中の管路３内に第２の電極１５が取付けられ、この第２の電極１５に通電することによって、該管路３内を通過する循環水Ｗに対して電解反応を付与することになる。
したがって、前述の場合と同様に、この通電された第２の電極１５による循環水Ｗの電解反応によって該循環水Ｗ中の塩化ナトリウムから、次亜塩素酸イオンまたは次亜塩素酸を電解により生成し、遊離塩素を発生させる。その結果、該管路３内を通過する循環水Ｗを該水中に発生される遊離塩素により殺菌消毒することができるものである。
この場合においても、前述と同様に、殺菌剤注入装置８により循環水Ｗ内に注入添加された塩素系殺菌剤の濃度が暫時希釈されてその殺菌消毒効果が低減されていく場合でも、殺菌剤注入装置８による塩素系殺菌剤の再度の注入添加に頼ることなく、循環水Ｗ内に発生される遊離塩素により十分に殺菌消毒することができるものである。
【００４０】
そして、この第２の電極１５にあっては、芯極１５ａ及び周極１５ｂの外周に貫設された空所１６〜１６の部位の全面積が前記芯極１５ａ及び周極１５ｂのそれぞれの外周面全体の面積に対して１０％〜９０％占めるように構成することと、管路３における直角状に曲折された部位、すなわち、管路３内の循環水Ｗの流れ方向が変更される部位に位置させることにより、管路３内を通過する循環水Ｗと第２の電極１５との接触面積を可及的に増大して塩素系殺菌剤の生産能力を上げることができるものである。
【００４１】
続いて、循環装置１の別の実施形態を図３にしたがって参照して説明する。
この場合は、図３に示すように、前述した実施例における循環装置１に対し、プール２から溢れた循環水Ｗを回収して該循環装置１の管路３に循環させる構成を加入した場合であって、この形態では、オーバーフローしてプール２内から溢れた温水或いは水（循環水Ｗ）は、該プール２の周囲のオーバーフロー受け口１９から回収用管路２０を介して該プール２から排出される一部の循環水Ｗとともにオーバーフロー回収槽２１内に流入され、循環装置１の管路３に接続された管路２０ａを介してストレーナ４に流入するように構成され、オーバーフロー受け口１９とポンプ５とオーバーフロー回収槽２１との間の回収用管路２０内の循環水Ｗに対し塩素系殺菌剤を注入添加する殺菌剤注入装置８が循環装置１を構成する一手段として組付けられ、その余の構成は、前述の図１に示す実施例と同様であるため、同様の構成については図中同符号を付してその説明を省略する。
【００４２】
したがって、本実施例においては、プール２からオーバーフローして溢れた循環水Ｗを循環装置１の循環経路に導入して、前述した実施例と同様に、循環装置１のストレーナ４内に第１の電極９を組込むこと、或いは循環装置１の管路３内に第２の電極１５を組込むことにより、前述した実施例と同様に、第１の電極４或いは第２の電極１５による電解反応により、循環装置１の循環経路（ストレーナ４ａ或いは管路３内）においてその循環水Ｗ中に遊離塩素を生成して該循環水Ｗを殺菌消毒することができるものであり、その余の作用効果は、前述した実施例と同様の作用効果を享受するものである。
【００４３】
上述した両実施例にあって、循環水Ｗにおいて発生したガスは、循環装置１を構成するろ過装置６上部の気液分離構造、またはストレーナ４に形成されたエアー抜き弁４ｂ等により機械室外の安全な空域に解放できる。
【００４４】
なお、上述した両実施例にあって、第１及び第２の電極９、１５の電解量の調整は、その電流量の設定と通電時間により調整するものであり、また、循環水Ｗの導電率により第１及び第２の電極９、１５に加える電解電圧を設定するものである。そして、第１及び第２の電極９、１５にあっては、定期的に極性を反転させて電極に通電することにより電極表面を清潔に保つものである。
【００４５】
また、上述した実施例においては、循環装置１に加熱器７を設けて循環水Ｗを温水の場合について説明したが、循環装置１における加熱器７を排除して水の場合でも実施可能である。また、第１の電極９の導体板は矩形状であるとして説明したが、ストレーナ４の流入口４ａの下部側の角部を欠いた三角形状に形成しても良く、それらの形状を限定するものではない。また、ストレーナ４内の上流側に第１の電極９を取付けた場合について説明したが、ストレーナ４のスクリーンの下流側に取付けてもよい。ストレーナ４内の上流側に取付けた場合には第１の電極９の点検が容易となり、該電極９の洗浄が頻繁に行われる場合に適している。ストレーナ４のスクリーンの下流側に取付けた場合には第１の電極９の汚れ付着防止となり、ストレーナ４の清掃時にスクリーンを取り外せば電極９の点検をすることもできる。また、第２の電極１５を循環装置１における管路３の曲折した隅部に取付けた態様について説明したが、この箇所に限定するものではない。また、第２の電極１５は一組の電極を組み込んで説明したが、複数組の電極を平行に組み込むこともできる。さらに、第１の電極９を循環装置１におけるストレーナ４内に取付けた態様について説明したが、この部位についても説明の場合に限定するものではない。
【００４６】
また、上述した実施例においては、本発明の発明の主旨を逸脱しない範囲において種々変更が可能である。
【符号の説明】
【００４７】
１  循環装置
２  プール
３  管路
４  ストレーナ
５  ポンプ
８  殺菌剤剤注入装置
９  第１の電極
１５  第２の電極
Ｗ  循環水
【図１】
2011101833.tif 000003
【図２】
2011101833.tif 000004
【図３】
2011101833.tif 000005
【図４】
2011101833.tif 000006
【図５】
2011101833.tif 000007
【図６】
2011101833.tif 000008
【図７】
2011101833.tif 000009